(57)【特許請求の範囲】
【請求項１】
天井に設置された空気調和機のユニット本体の、室内側に面するパネル又はフィルタを内蔵した吸込みグリル或いはフィルタ単体などの被昇降物をワイヤを介して前記ユニット本体に対し昇降可能に構成してなる空気調和機において、前記被昇降物の４隅であって、前記被昇降物の昇降時に水平状態を保つため、それぞれ各支点の中心位置が前記被昇降物の重心位置よりも上方側に設けられた４つのプーリと、これらプーリのうち対となる２つのプーリに対してそれぞれ架け渡され、それぞれの一端が前記ユニット本体側の他部適所に固定された各１本のワイヤと、これらワイヤ毎にその他端を巻取り又は巻き戻す２つのスプロールと、このスプロールを回転駆動する少なくとも１個の正逆転可能なモータと、を備え、前記スプロールと前記モータは前記ユニット本体内に設置されていると共に、前記スプロールを対角線上に配置することを特徴とする空気調和機。
【請求項２】
前記各スプロールに対して、それぞれ個別に前記モータを設けてなることを特徴とする請求項１記載の空気調和機。
【請求項３】
天井に設置され、室内側に面するパネル又はフィルタを内蔵した吸込みグリル或いはフィルタ単体などの被昇降物をワイヤを介してユニット本体に対し昇降可能に構成してなる空気調和機において、前記被昇降物の４隅で、かつそれぞれ前記被昇降物の重心位置よりも上方側に設けられた各プーリと、前記ユニット本体側の他部適所に設けられた少なくとも１つのプーリと、これらプーリ間に架け渡され、一端をユニット側の他部適所に固定された１本のワイヤと、このワイヤの他端を巻取又は巻き戻すスプロールと、このスプロールを回転駆動する正逆転可能なモータと、を備えてなることを特徴とする空気調和機。
【発明の詳細な説明】
【０００１】
【発明の属する技術分野】
本発明は、天井埋め込み又は天井吊り下げ型で、室内側に面するパネル又はフィルタを内蔵した吸込みグリル或いはフィルタ単体などを昇降させる空気調和機に関する。
【０００２】
【従来の技術】
このような空気調和機としては、例えば特開平６−１５９７１８号公報に開示されている技術がある。図７〜図９はかかる天井埋め込み型の空気調和機の構成図であり、図７は全体構成図、図８は吸込みグリル部分の拡大図、図９は吸込みグリルの吊り下げ構造を示す図である。
【０００３】
ユニット本体１は、図７に示すように天井２に埋設されている。このユニット本体１の内部には、熱交換器３、ドレンパン４、送風機５、ファンモータ６、導風板７等が配置され、かつこのユニット本体１には、その下部開口を覆う天井パネル８が着脱自在に装着されている。
【０００４】
この天井パネル８の中央部には、吸込口９が形成され、かつこの吸込口９の両側には吹出口１０が形成されている。又、吸込口９には、吸込グリル１１が嵌合し、その背後にはフィルタ１２が着脱自在に係止されている。
【０００５】
又、天井パネル８の内壁には、図８に示すようにブラケット１３、１４が取り付けられている。これらブラケット１３、１４には、それぞれ正逆転可能な４台のモータ１５が固定されている。すなわち、これらモータ１５は、図９に示すように４ケ所にそれぞれ固定されている。
【０００６】
これらモータ１５の出力軸１６には、それぞれスプロール１７が連結され、かつこれらスプロール１７には、それぞれワイヤ１８の基端が巻着されている。これらワイヤ１８は、それぞれブラケット１３、１４に取り付けられた各リング１９を経て吸込みグリル１１の４つの角隅部に連結されている。
【０００７】
このような空気調和機において、フィルタ１２を洗浄する場合、各モータ１５を逆回転させる。これらモータ１５の逆回転により、各スプロール１７を介して４本のワイヤ１８が巻き戻され、吸込みグリル１１が水平状態を保ったまま下降する。そして、吸込みグリル１１が所定の高さまで下降すると、各モータ１５は停止する。
【０００８】
このように吸込みグリル１１が所定の高さまで下降した状態で、床上の作業者は、吸込みグリル１１からフィルタ１２を取り外してこれを洗浄する。洗浄が終了すると、フィルタ１２は吸込みグリル１１に再び取り付けられ、各モータ１５を今度は正回転させる。
【０００９】
これらモータ１５の正回転により、各スプロール１７を介して４本のワイヤ１８が巻き取られ、吸込みグリル１１が水平状態を保ったまま上昇し、この吸込みグリル１１が天井パネル８の下面に当接すると、各モータ１５は停止する。
【００１０】
【発明が解決しようとする課題】
しかしながら、上記空気調和機では、フィルタ１２を洗浄する場合、吸込みグリル１１を下降、昇降させているが、この吸込みグリル１１の下降、昇降の際には吸込みグリル１１の水平状態を保つことが要求されているが、なかなか水平状態を保つことができず、例えば吸込みグリル１１を元の位置に戻す際に問題が生じる。そこで本発明は、吸込みグリルの水平状態を保った状態で下降、昇降ができる空気調和機を提供することを目的とする。
【００１１】
【課題を解決するための手段】
請求項１によれば、天井に設置された空気調和機のユニット本体の、室内側に面するパネル又はフィルタを内蔵した吸込みグリル或いはフィルタ単体などの被昇降物をワイヤを介して前記ユニット本体に対し昇降可能に構成してなる空気調和機において、前記被昇降物の４隅であって、前記被昇降物の昇降時に水平状態を保つため、それぞれ各支点の中心位置が前記被昇降物の重心位置よりも上方側に設けられた４つのプーリと、これらプーリのうち対となる２つのプーリに対してそれぞれ架け渡され、それぞれの一端が前記ユニット本体側の他部適所に固定された各１本のワイヤと、これらワイヤ毎にその他端を巻取り又は巻き戻す２つのスプロールと、このスプロールを回転駆動する少なくとも１個の正逆転可能なモータと、を備え、前記スプロールと前記モータは前記ユニット本体内に設置されていると共に、前記スプロールを対角線上に配置することを特徴とする空気調和機である。
【００１２】
このような空気調和機であれば、少なくとも１個のモータが例えば正逆転すると、このモータの正逆転に応じてスプロールが回転し、ユニット本体側の他部適所に固定された各ワイヤが巻き戻し、又は巻取りされる。これらワイヤは、被昇降物の重心位置よりも上方側に設けられた各プーリを介して被昇降物の４隅にそれぞれ設けられているので、各ワイヤの巻き戻し、又は巻取りにより、被昇降物は、自身の傾斜角度が大きくても水平状態を保とうとする力が大きく作用し、水平状態を保って下降又は上昇する。
【００１３】
請求項２によれば、請求項１記載の空気調和機において、各スプロールに対して、それぞれ個別にモータを設けてなるものである。
【００１４】
請求項３によれば、天井に設置され、室内側に面するパネル又はフィルタを内蔵した吸込みグリル或いはフィルタ単体などの被昇降物をワイヤを介してユニット本体に対し昇降可能に構成してなる空気調和機において、前記被昇降物の４隅で、かつそれぞれ前記被昇降物の重心位置よりも上方側に設けられた各プーリと、前記ユニット本体側の他部適所に設けられた少なくとも１つのプーリと、これらプーリ間に架け渡され、一端をユニット側の他部適所に固定された１本のワイヤと、このワイヤの他端を巻取又は巻き戻すスプロールと、このスプロールを回転駆動する正逆転可能なモータと、を備えてなる空気調和機である。
【００１５】
このような空気調和機であれば、モータが例えば正逆転すると、このモータの正逆転に応じてスプロールが回転し、ユニット本体側の他部適所に固定された１本のワイヤが巻き戻し、又は巻取りされる。このワイヤは、少なくとも１つのプーリ及び被昇降物の重心位置よりも上方側でかつこの被昇降物の４隅にそれぞれ設けられた各プーリに設けられているので、各ワイヤの巻き戻し、又は巻取りにより、被昇降物は、自身の傾斜角度が大きくても水平状態を保とうとする力が大きく作用し、水平状態を保って下降又は上昇する。
【００１６】
【発明の実施の形態】
（１）以下、本発明の第１の実施の形態について図面を参照して説明する。なお、図７と同一部分には同一符号を付してある。図１は天井埋め込み型の空気調和機における吸込みグリルの吊り下げ構造を示す図である。
【００１７】
この空気調和機の全体構成は、上記図７に示すように、ユニット本体１が天井２に埋設されている。このユニット本体１の内部には、熱交換器３、ドレンパン４、送風機５、ファンモータ６、導風板７等が配置され、かつこのユニット本体１には、その下部開口を覆う天井パネル８が着脱自在に装着されている。
【００１８】
この天井パネル８の中央部には、吸込口９が形成され、かつこの吸込口９の両側には吹出口１０が形成されている。又、吸込口９には、吸込グリル１１が嵌合し、その背後にはフィルタ１２が着脱自在に係止されている。
【００１９】
吸込グリル１１の４つの角隅部には、それぞれ各プーリ３０〜３３が設けられている。これらプーリ３０〜３３の各支点の中心位置は、吸込グリル１１の重心Ｏがあるが、この重心Ｏの位置よりもｈ１だけ上方側に設けられている。
【００２０】
一方、これらプーリ３０〜３３のうちプーリ３０と３２との各上方には、それぞれモータ３４、３５が配置されている。これらモータ３４、３５の出力軸には、それぞれスプロール３６、３７が連結されている。
【００２１】
ワイヤ３８の一端は、モータ３４の出力軸に連結されたスプロール３６に卷着され、かつその他端は２つのプーリ３０、３１を架け渡してユニット本体１のプーリ３１の上方に当たる部分に固定されている。
【００２２】
又、ワイヤ３９の一端は、モータ３５の出力軸に連結されたスプロール３７に卷着され、かつその他端は２つのプーリ３２、３３を架け渡してユニット本体１のプーリ３３の上方に当たる部分に固定されている。
【００２３】
次に上記の如く構成された空気調和機での洗浄時の作用について説明する。フィルタ１２を洗浄する場合、２台のモータ３４、３５を逆回転させる。これらモータ３４、３５の逆回転により、各スプロール３６、３７を介して各ワイヤ３８、３９が巻き戻され、これらワイヤ３８、３９がそれぞれプーリ３０と３１、３２と３３を通して吸込みグリル１１を水平状態を保ったまま下降する。
【００２４】
このとき、例えば吸込みグリル１１が図２に示すように傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用する。
【００２５】
これにより、吸込みグリル１１は、傾斜角度が大きくなっても水平を保とうとする力が作用し、水平状態を保って下降する。これに対して、図３に示すようにプーリ３０〜３３の各支点の中心位置が重心Ｏの位置よりもｈ２だけ下方側に設けられていると、吸込みグリル１１には、重量Ｗにより重心Ｏにより時計回り（ロ）に回転しようとする力が作用する。
【００２６】
このため、吸込みグリル１１は、最初に傾斜した方向から戻ろうとする力が作用せず、水平を保つことができないことが分かる。そして、吸込みグリル１１が所定の高さまで下降すると、各モータ３４、３５は停止する。
【００２７】
このように吸込みグリル１１が所定の高さまで下降した状態で、床上の作業者は、吸込みグリル１１からフィルタ１２を取り外してこれを洗浄する。洗浄が終了すると、フィルタ１２は吸込みグリル１１に再び取り付けられ、各モータ３４、３５を今度は正回転させる。
【００２８】
これらモータ３４、３５の正回転により、各スプロール３６、３７を介して各ワイヤ３８、３９が巻き取られ、これらワイヤ３８、３９がそれぞれプーリ３０と３１、３２と３３を通して吸込みグリル１１を水平状態を保ったまま上昇させ、この吸込みグリル１１が天井パネル８の吸込口９に嵌合すると、各モータ３４、３５は停止する。
【００２９】
このときも、吸込みグリル１１が上記図２と同様に傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用し、吸込みグリル１１は、傾斜角度が大きくなっても水平を保とうとする力が作用し、水平状態を保って上昇する。
【００３０】
このように上記第１の実施の形態であれば、各プーリ３０〜３３を吸込みグリル１１の４隅でかつそれぞれ吸込みグリル１１の重心Ｏ位置よりも上方側に設けたので、吸込みグリル１１には、自身の重量Ｗにより重心Ｏが半時計回り（イ）の方向に回転しようとする力が作用し、吸込みグリル１１は、たとえ傾斜角度が大きくなっても水平を保とうとする力が作用し、水平状態を保って昇降できる。
【００３１】
又、２台のモータ３４、３５、２つのスプロール３６、３７、２本のワイヤ３８、３９として従来と比較して高価な機器を大幅に削減でき、吸込みグリル１１の下降、昇降の機構をコストダウンできる。
（２）以下、本発明に係る空気調和機の検討例（１）としての参考的実施の形態について図面を参照して説明する。なお、図１と同一部分には同一符号を付してその詳しい説明は省略する。
【００３２】
図４は天井埋め込み型の空気調和機における吸込みグリルの吊り下げ構造を示す図である。この空気調和機の全体構成は、上記図７に示すように、ユニット本体１が天井２に埋設されている。このユニット本体１の内部には、熱交換器３、ドレンパン４、送風機５、ファンモータ６、導風板７等が配置され、かつこのユニット本体１には、その下部開口を覆う天井パネル８が着脱自在に装着されている。
【００３３】
この天井パネル８の中央部には、吸込口９が形成され、かつこの吸込口９の両側には吹出口１０が形成されている。又、吸込口９には、吸込グリル１１が嵌合し、その背後にはフィルタ１２が着脱自在に係止されている。
【００３４】
上記第１の実施の形態と相違するところは、４つのプーリ３０〜３３のうちプーリ３３の上方には、モータ３５が配置され、このモータ３５の出力軸にスプロール３７が連結されている。
【００３５】
ワイヤ３９は、その一端がモータ３５の出力軸に連結されたスプロール３７に卷着され、かつその他端が２つのプーリ３３、３２を架け渡してユニット本体１のプーリ３２の上方に当たる部分に固定されている。
【００３６】
当然のことながら、各プーリ３０〜３３の各支点の中心位置は、上記第１の実施の形態と同様に、吸込グリル１１の重心Ｏがあるが、この重心Ｏの位置よりもｈ１だけ上方側に設けられている。
【００３７】
次に上記の如く構成された空気調和機での洗浄時の作用について説明する。フィルタ１２を洗浄する場合、２台のモータ３４、３５を逆回転させる。これらモータ３４、３５の逆回転により、各スプロール３６、３７を介して各ワイヤ３８、３９が巻き戻され、これらワイヤ３８、３９がそれぞれプーリ３０と３１、３３と３２を通して吸込みグリル１１を水平状態を保ったまま下降する。
【００３８】
このとき、例えば吸込みグリル１１が上記図２に示すように傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用する。
【００３９】
これにより、吸込みグリル１１は、傾斜角度が大きくなっても水平を保とうとする力が作用し、水平状態を保って下降する。そして、吸込みグリル１１が所定の高さまで下降すると、各モータ３４、３５は停止する。
【００４０】
このように吸込みグリル１１が所定の高さまで下降した状態で、床上の作業者は、吸込みグリル１１からフィルタ１２を取り外してこれを洗浄する。洗浄が終了すると、フィルタ１２は吸込みグリル１１に再び取り付けられ、各モータ３４、３５を今度は正回転させる。
【００４１】
これらモータ３４、３５の正回転により、各スプロール３６、３７を介して各ワイヤ３８、３９が巻き取られ、これらワイヤ３８、３９がそれぞれプーリ３０と３１、３３と３２を通して吸込みグリル１１を水平状態を保ったまま上昇させ、この吸込みグリル１１が天井パネル８の吸込口９に嵌合すると、各モータ３４、３５は停止する。
【００４２】
このときも、吸込みグリル１１が上記図２と同様に傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用し、吸込みグリル１１は、傾斜角度が大きくなっても水平を保とうとする力が作用し、水平状態を保って上昇する。
【００４３】
このように上記検討例（１）としての参考的実施の形態であれば、上記第１の実施の形態と同様に、各プーリ３０〜３３を吸込みグリル１１の４隅でかつそれぞれ吸込みグリル１１の重心Ｏ位置よりも上方側に設けたので、吸込みグリル１１には、自身の重量Ｗにより重心Ｏが半時計回り（イ）の方向に回転しようとする力が作用し、吸込みグリル１１は、たとえ傾斜角度が大きくなっても水平を保とうとする力が作用し、水平状態を保って昇降できる。
【００４４】
又、２台のモータ３４、３５、２つのスプロール３６、３７、２本のワイヤ３８、３９として高価な機器を大幅に削減でき、吸込みグリル１１の下降、昇降の機構をコストダウンできる。
（３）以下、本発明に係る空気調和機の検討例（２）としての参考的実施の形態について図面を参照して説明する。なお、図１と同一部分には同一符号を付してその詳しい説明は省略する。
【００４５】
図５は天井埋め込み型の空気調和機における吸込みグリルの吊り下げ構造を示す図である。この空気調和機の全体構成は、上記図７に示すように、ユニット本体１が天井２に埋設されている。このユニット本体１の内部には、熱交換器３、ドレンパン４、送風機５、ファンモータ６、導風板７等が配置され、かつこのユニット本体１には、その下部開口を覆う天井パネル８が着脱自在に装着されている。
【００４６】
この天井パネル８の中央部には、吸込口９が形成され、かつこの吸込口９の両側には吹出口１０が形成されている。又、吸込口９には、吸込グリル１１が嵌合し、その背後にはフィルタ１２が着脱自在に係止されている。
【００４７】
上記第１の実施の形態と相違するところは、プーリ３３の上方に１台のモータ３５が配置されている。このモータ３５の出力軸には、スプロール３７が連結され、かつこのスプロール３７に長軸４０が連結されている。そして、この長軸４０の先端部にスプロール４１が連結されている。
【００４８】
ワイヤ３８の一端は、長軸４０の先端部のスプロール４１に卷着され、かつその他端は２つのプーリ３０、３１を架け渡してユニット本体１のプーリ３１の上方に当たる部分に固定されている。
【００４９】
又、ワイヤ３９の一端は、モータ３５の出力軸に連結されたスプロール３７に卷着され、かつその他端は２つのプーリ３３、３２を架け渡してユニット本体１のプーリ３２の上方に当たる部分に固定されている。
【００５０】
当然のことながら、各プーリ３０〜３３の各支点の中心位置は、上記第１の実施の形態と同様に、吸込グリル１１の重心Ｏの位置よりもｈ１だけ上方側に設けられている。
【００５１】
次に上記の如く構成された空気調和機での洗浄時の作用について説明する。フィルタ１２を洗浄する場合、１台のモータ３５を逆回転させる。このモータ３５の逆回転により、スプロール３７が回転するとともに長軸４０を介してスプロール４１が回転する。
【００５２】
これにより、各ワイヤ３８、３９が巻き戻され、これらワイヤ３８、３９がそれぞれプーリ３０と３１、３３と３２を通して吸込みグリル１１を水平状態を保ったまま下降する。
【００５３】
このとき、例えば吸込みグリル１１が上記図２に示すように傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用する。
【００５４】
これにより、吸込みグリル１１は、傾斜角度が大きくなっても水平を保とうとする力が作用し、水平状態を保って下降する。そして、吸込みグリル１１が所定の高さまで下降すると、モータ３５は停止する。
【００５５】
このように吸込みグリル１１が所定の高さまで下降した状態で、床上の作業者は、吸込みグリル１１からフィルタ１２を取り外してこれを洗浄する。洗浄が終了すると、フィルタ１２は吸込みグリル１１に再び取り付けられ、モータ３５を今度は正回転させる。
【００５６】
このモータ３５の正回転により、各スプロール３７、４１を介して各ワイヤ３８、３９が巻き取られ、これらワイヤ３８、３９がそれぞれプーリ３０と３１、３３と３２を通して吸込みグリル１１を水平状態を保ったまま上昇させ、この吸込みグリル１１が天井パネル８の吸込口９に嵌合すると、モータ３５は停止する。
【００５７】
このときも、吸込みグリル１１が上記図２と同様に傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用し、吸込みグリル１１は、傾斜角度が大きくなっても水平を保とうとする力が作用し、水平状態を保って上昇する。
【００５８】
このように上記検討例（２）としての参考的実施の形態であれば、上記第１の実施の形態と同様に、吸込みグリル１１には、自身の重量Ｗにより重心Ｏが半時計回り（イ）の方向に回転しようとする力が作用し、吸込みグリル１１は、たとえ傾斜角度が大きくなっても水平を保とうとする力が作用し、水平状態を保って昇降できる。
【００５９】
又、１台のモータ３５にできるとともに２つのスプロール３７、４１、２本のワイヤ３８、３９として高価な機器をさらに大幅に削減でき、吸込みグリル１１の下降、昇降の機構をコストダウンできる。
（４）以下、本発明の第２の実施の形態について図面を参照して説明する。なお、図１と同一部分には同一符号を付してその詳しい説明は省略する。
【００６０】
図６は天井埋め込み型の空気調和機における吸込みグリルの吊り下げ構造を示す図である。この空気調和機の全体構成は、上記図７に示すように、ユニット本体１が天井２に埋設されている。このユニット本体１の内部には、熱交換器３、ドレンパン４、送風機５、ファンモータ６、導風板７等が配置され、かつこのユニット本体１には、その下部開口を覆う天井パネル８が着脱自在に装着されている。
【００６１】
この天井パネル８の中央部には、吸込口９が形成され、かつこの吸込口９の両側には吹出口１０が形成されている。又、吸込口９には、吸込グリル１１が嵌合し、その背後にはフィルタ１２が着脱自在に係止されている。
【００６２】
上記第１の実施の形態と相違するところは、４つのプーリ３０〜３３のうちプーリ３０の上方に１台のモータ３４が配置され、このモータ３４の出力軸にスプロール３６が連結されている。
【００６３】
又、各プーリ３１、３２の各上方には、それぞれプーリ４２、４３が設けられている。１本のワイヤ４４は、その一端がモータ３４の出力軸に連結されたスプロール３６に卷着され、かつその他端が各プーリ３０、３１、４２、４３、さらに３２、３３を架け渡してユニット本体１のプーリ３３の上方に当たる部分に固定されている。
【００６４】
当然のことながら、各プーリ３０〜３３の各支点の中心位置は、上記第１の実施の形態と同様に、吸込グリル１１の重心Ｏの位置よりもｈ１だけ上方側に設けられている。
【００６５】
次に上記の如く構成された空気調和機での洗浄時の作用について説明する。フィルタ１２を洗浄する場合、１台のモータ３４を逆回転させる。このモータ３４の逆回転により、スプロール３６を介してワイヤ４４が巻き戻され、このワイヤ４４が各プーリ３０、３１、４２、４３、さらに３２、３３を通して吸込みグリル１１を水平状態を保ったまま下降する。
【００６６】
このとき、例えば吸込みグリル１１が上記図２に示すように傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用し、吸込みグリル１１は、傾斜角度が大きくなっても水平状態を保とうとする力が作用し、水平状態を保って下降する。
【００６７】
そして、吸込みグリル１１が所定の高さまで下降すると、各モータ３４は停止する。このように吸込みグリル１１が所定の高さまで下降した状態で、床上の作業者は、吸込みグリル１１からフィルタ１２を取り外してこれを洗浄する。
【００６８】
洗浄が終了すると、フィルタ１２は吸込みグリル１１に再び取り付けられ、モータ３４を今度は正回転させる。このモータ３４の正回転により、スプロール３６を介してワイヤ４４が巻き取られ、このワイヤ４４がプーリ３０、３１、４２、４３、さらに３２、３３を通して吸込みグリル１１を水平状態を保ったまま上昇させ、この吸込みグリル１１が天井パネル８の吸込口９に嵌合すると、モータ３４は停止する。
【００６９】
このときも、吸込みグリル１１が上記図２と同様に傾斜していた場合、プーリ３０〜３３の各支点の中心位置が重心Ｏの位置よりもｈ１だけ上方側に設けられているので、吸込みグリル１１には、自身の重量Ｗにより重心Ｏが半時計回り（イ）の方向に回転しようとする力が作用し、吸込みグリル１１は、傾斜角度が大きくなっても水平を保とうとする力が作用し、水平状態を保って上昇する。
【００７０】
このように上記第２の実施の形態であれば、上記第１の実施の形態と同様に、吸込みグリル１１には、自身の重量Ｗにより重心Ｏが半時計回り（イ）の方向に回転しようとする力が作用し、吸込みグリル１１は、たとえ傾斜角度が大きくなっても水平を保とうとする力が作用し、水平状態を保って昇降できる。
【００７１】
又、１台のモータ３４、１つのスプロール３６、１本のワイヤ４４として高価な機器を大幅に削減でき、吸込みグリル１１の下降、昇降の機構をコストダウンできる。
【００７２】
なお、本発明は、上記第１、第２の実施の形態に限定されるものでなく次の通り変形してもよい。例えば、上記第２の実施の形態において、各プーリ３０〜３３の他にプーリ４２、４３を設けているが、これらプーリ４２、４３を１つのプーリとしてワイヤ４４を経由するようにしてもよい。又、室内側に面するパネル又はフィルタを内蔵した吸込みグリル或いはフィルタ単体を昇降させるようにしてもよい。
【００７３】
【発明の効果】
以上詳記したように本発明によれば、天井に設置された空気調和機のユニット本体の、室内側に面するパネル又はフィルタを内蔵した吸込みグリル或いはフィルタ単体などの被昇降物をワイヤを介して前記ユニット本体に対し昇降可能に構成してなる空気調和機において、前記被昇降物の４隅であって、前記被昇降物の昇降時に水平状態を保つため、それぞれ各支点の中心位置が前記被昇降物の重心位置よりも上方側に設けられた４つのプーリと、これらプーリのうち対となる２つのプーリに対してそれぞれ架け渡され、それぞれの一端が前記ユニット本体側の他部適所に固定された各１本のワイヤと、これらワイヤ毎にその他端を巻取り又は巻き戻す２つのスプロールと、このスプロールを回転駆動する少なくとも１個の正逆転可能なモータとを備え、前記スプロールと前記モータは前記ユニット本体内に設置されていると共に、前記スプロールを対角線上に配置したので、少なくとも１個のモータが例えば正逆転すると、このモータの正逆転に応じてスプロールが回転し、ユニット本体側の他部適所に固定された各ワイヤが巻き戻し、又は巻取りされる。これらワイヤは、被昇降物の重心位置よりも上方側に設けられた各プーリを介して被昇降物の４隅にそれぞれ設けられているので、各ワイヤの巻き戻し、又は巻取りにより、被昇降物は、自身の傾斜角度が大きくても水平状態を保とうとする力が大きく作用し、水平状態を保って下降又は上昇するものとなり、吸込みグリルの水平状態を保った状態で下降、昇降ができる空気調和機を提供できる。
【図面の簡単な説明】
【図１】  本発明に係わる空気調和機の第１の実施の形態を示す構成図。
【図２】  同空気調和機の水平状態を保つ作用を示す図。
【図３】  傾斜状態となる場合を示す図。
【図４】  本発明に係わる空気調和機の検討例（１）としての参考的実施の形態を示す構成図。
【図５】  本発明に係わる空気調和機の検討例（２）としての参考的実施の形態を示す構成図。
【図６】  本発明に係わる空気調和機の第２の実施の形態を示す構成図。
【図７】  従来の天井埋め込み型の空気調和機の全体構成図。
【図８】  同空気調和機の吸込みグリル部分の拡大図。
【図９】  同空気調和機の吸込みグリルの吊り下げ構造を示す図。
【符号の説明】
１…ユニット本体、
２…天井、
３…熱交換器、
４…ドレンパン、
５…送風機、
６…ファンモータ、
８…天井パネル、
９…吸込口、
１０…吹出口、
１１…吸込グリル、
１２…フィルタ、
３０〜３３，４２，４３…プーリ、
３４，３５…モータ、
３６，３７，４１…スプロール、
３８，３９，４４…ワイヤ、
４０…長軸。
【図１】
0003848748.tif 000002
【図２】
0003848748.tif 000003
【図３】
0003848748.tif 000004
【図４】
0003848748.tif 000005
【図５】
0003848748.tif 000006
【図６】
0003848748.tif 000007
【図７】
0003848748.tif 000008
【図８】
0003848748.tif 000009
【図９】
0003848748.tif 000010